(57)【要約】【課題】分岐部の防水性を確保し得るワイヤーハーネスの分岐部被覆装置を提供する。【解決手段】筒状の熱収縮チューブ１の長手方向両端部に、ワイヤーハーネスの電線及び分岐部を挿通可能とするとともに加熱により溶融する固形接着剤２ａ，２ｂを嵌着した。【選択図】図１
2018026933.tif 000002
【特許請求の範囲】
【請求項１】
筒状の熱収縮チューブの長手方向両端部に、ワイヤーハーネスの電線及び分岐部を挿通可能とするとともに加熱により溶融する固形接着剤を嵌着したことを特徴とするワイヤーハーネスの分岐部被覆装置。
【請求項２】
請求項１に記載のワイヤーハーネスの分岐部被覆装置において、
前記固形接着剤は、対向面で突き合わせた一対の固形接着剤で構成し、前記各固形接着剤の対向面には、前記電線を保持する透孔を形成するための複数の凹条を設けたことを特徴とするワイヤーハーネスの分岐部被覆装置。
【請求項３】
請求項２に記載のワイヤーハーネスの分岐部被覆装置において、
前記一対の固形接着剤は、弾性により対向面を離間可能としたことを特徴とするワイヤーハーネスの分岐部被覆装置。
【請求項４】
請求項２又は３に記載のワイヤーハーネスの分岐部被覆装置において、
前記固形接着剤には、３つの前記透孔を形成する凹条を設けたことを特徴とするワイヤーハーネスの分岐部被覆装置。
【請求項５】
筒状の熱収縮チューブの長手方向両端部に加熱により溶融する固形接着剤を嵌着し、前前記固形接着剤を経て記熱収縮チューブ内に電線及び該電線の分岐部を挿通し、加熱により前記熱収縮チューブを収縮させるとともに前記固形接着剤を溶融させて、前記熱収縮チューブ内に前記分岐部を密封することを特徴とするワイヤーハーネスの分岐部被覆方法。
【発明の詳細な説明】
【技術分野】
【０００１】
本発明は、ワイヤーハーネスを構成する電線の分岐部を被覆して防水する分岐部被覆装置及び分岐部被覆方法に関するものである。
【背景技術】
【０００２】
従来、自動車に搭載された機器を電気的に接続するために車室内外に配設されるワイヤーハーネスにおいて、電線を分岐して接続する構成としたものがある。
電線の分岐部では、接続する電線の被覆が剥がされて芯線が露出され、その芯線がかしめ具で圧着固定される。そして、そのかしめ部分を、接着剤を充填した熱収縮チューブで覆い、さらに過熱して熱収縮チューブを収縮させることにより、かしめ部分を防水し、かつ電気的絶縁を確保するようにしている。
【０００３】
特許文献１には、ワイヤーハーネスを防水する丸チューブが開示されている。
【先行技術文献】
【特許文献】
【０００４】
【特許文献１】特開平７−２５０４１２号公報
【発明の概要】
【発明が解決しようとする課題】
【０００５】
上記のように電線の分岐部を、接着剤を充填した熱収縮チューブで覆う構成では、収縮チューブ内で各電線間への接着剤の充填が不十分となって、各電線間に隙間が生じることがある。
【０００６】
このような場合には、各電線をつたって各電線間に残る隙間に雨水等が侵入するため、防水性が十分ではないという問題点がある。
この発明はこのような事情に鑑みてなされたものであり、その目的は分岐部の防水性を確保し得るワイヤーハーネスの分岐部被覆装置を提供することにある。
【課題を解決するための手段】
【０００７】
上記課題を解決するワイヤーハーネスの分岐部被覆装置は、筒状の熱収縮チューブの長手方向両端部に、ワイヤーハーネスの電線及び分岐部を挿通可能とするとともに加熱により溶融する固形接着剤を嵌着したことを特徴とする。
【０００８】
この構成により、熱収縮チューブ内に分岐部を挿通して、熱収縮チューブ及び固形接着剤を加熱すると、熱収縮チューブ内に分岐部が密封される。
また、上記のワイヤーハーネスの分岐部被覆装置において、前記固形接着剤は、対向面で突き合わせた一対の固形接着剤で構成し、前記各固形接着剤の対向面には、前記電線を保持する透孔を形成するための複数の凹条を設けることが好ましい。
【０００９】
この構成により、固形接着剤の対向面間に形成される透孔に電線を保持した状態で、固形接着剤を溶融させると、溶融後の接着剤に電線が隙間なく保持される。
また、上記のワイヤーハーネスの分岐部被覆装置において、前記一対の固形接着剤は、弾性により対向面を離間可能とすることが好ましい。
【００１０】
この構成により、分岐部及び電線を熱収縮チューブ内に容易に挿通可能となる。
また、上記のワイヤーハーネスの分岐部被覆装置において、前記固形接着剤には、３つの前記透孔を形成する凹条を設けることが好ましい。
【００１１】
この構成により、１本の電線が３本の電線に分岐する分岐部を、熱収縮チューブ内に密封することが可能となる。
上記課題を解決するワイヤーハーネスの分岐部被覆方法は、筒状の熱収縮チューブの長手方向両端部に加熱により溶融する固形接着剤を嵌着し、前前記固形接着剤を経て記熱収縮チューブ内に電線及び該電線の分岐部を挿通し、加熱により前記熱収縮チューブを収縮させるとともに前記固形接着剤を溶融させて、前記熱収縮チューブ内に前記分岐部を密封することを特徴とする。
【００１２】
この方法により、熱収縮チューブ内に分岐部を挿通して、熱収縮チューブ及び固形接着剤を加熱すると、熱収縮チューブ内に分岐部が密封される。
【発明の効果】
【００１３】
本発明のワイヤーハーネスの分岐部被覆装置によれば、分岐部の防水性を確保することができる。
【図面の簡単な説明】
【００１４】
【図１】分岐部被覆装置を示す斜視図。
【図２】固形接着剤を示す正面図。
【図３】ワイヤーハーネスの分岐部を示す斜視図。
【図４】固形接着剤の対向する端面を離間させた状態を示す斜視図。
【図５】熱収縮チューブに電線及び分岐部を挿通した状態を示す斜視図。
【図６】加熱後の熱収縮チューブ及び固形接着剤を示す斜視図。
【発明を実施するための形態】
【００１５】
以下、ワイヤーハーネスの分岐部被覆装置の一実施形態を図面に従って説明する。
図１に示すように、ワイヤーハーネスの分岐部を覆うための熱収縮チューブ１は、熱収縮機能を備えたオレフィン系合成樹脂で筒状に形成され、その両端部にはそれぞれ一対の固形接着剤２ａ，２ｂが嵌合されている。
【００１６】
図２に示すように、固形接着剤２ａ，２ｂは対向する端面に断面半円状の凹条３が３つ平行に形成されている。そして、対向する端面を突き合わせると、図１に示すように、ワイヤーハーネスの電線を挿通可能となる３つの透孔４が形成されるとともに、突き合わせた固形接着剤２ａ，２ｂの外径は熱収縮チューブ１に嵌合可能となる楕円形状となる。
【００１７】
図４に示すように、熱収縮チューブ１内に嵌合された固形接着剤２ａ，２ｂは、楕円形の長軸方向外周部を中心方向に向かって押圧すると、弾性により対向する端面が離間して、電線等を容易に挿通可能となっている。
【００１８】
図３に示すワイヤーハーネスの分岐部８は、例えば電線５ａに対し分岐する電線５ｂ，５ｃを接続する構成としたものである。電線５ａの所定位置で被覆が剥がされて、芯線６ａが露出され、電線５ｂ，５ｃの端部の被覆が剥がされて芯線６ｂ，６ｃが露出されている。
【００１９】
そして、芯線６ａ，６ｂ，６ｃが接合された状態で、かしめ具７でかしめ固定されている。
次に、上記のように固形接着剤２ａ，２ｂを備えた熱収縮チューブ１の作用を説明する。
【００２０】
分岐部８を熱収縮チューブ１内に挿通するには、固形接着剤２ａ，２ｂの端面を離間させた状態で、例えば電線５ａを熱収縮チューブ１に挿通し、さらに分岐部８を熱収縮チューブ１内の固形接着剤２ａ，２ｂ間に挿通して、電線５ａを一方の固形接着剤２ａ，２ｂに挿通するとともに、電線５ａ〜５ｃを他方の固形接着剤２ａ，２ｂに挿通する。
【００２１】
すると、図５に示すように、電線５ａが一方の固形接着剤２ａ，２ｂの透孔４に挿通され、電線５ａ〜５ｃが他方の固形接着剤２ａ，２ｂの透孔４に挿通される。
この状態で、熱収縮チューブ１を例えばドライヤー等の加熱装置で加熱すると、熱収縮チューブ１が径方向に収縮するとともに、固形接着剤２ａ，２ｂが溶融して一体となり、電線５ａ〜５ｃの被覆及び熱収縮チューブ１の内周面に密着する。
【００２２】
すると、図６に示すように、分岐部８が熱収縮チューブ１内に密封される。
上記のような熱収縮チューブ１を備えたワイヤーハーネスでは、次に示す効果を得ることができる。
【００２３】
（１）電線５ａ〜５ｃを挿通した熱収縮チューブ１を加熱すると、熱収縮チューブ１の収縮及び固形接着剤２ａ，２ｂの溶融により、熱収縮チューブ１内に分岐部８を密封することができる。
【００２４】
（２）熱収縮チューブ１の端部に嵌合された一対の固形接着剤２ａ，２ｂを径方向に押圧して固形接着剤２ａ，２ｂの対向面を離間させることにより、電線５ａ〜５ｃ及び分岐部８を熱収縮チューブ１内に容易に挿通することができる。
【００２５】
（３）固形接着剤２ａ，２ｂの対向面に形成された凹条３を突き合わせて形成される透孔４で電線５ａ〜５ｃを保持するので、固形接着剤２ａ，２ｂの溶融後は、溶融された接着剤を電線５ａ〜５ｃの被覆に密着させることができる。従って、熱収縮チューブ１内に分岐部８を密封することができる。
【００２６】
なお、上記実施形態は以下のように変更してもよい。
・固形接着剤を突き合わせて形成される透孔を２つ、あるいは４つ以上としてもよい。
【符号の説明】
【００２７】
１…熱収縮チューブ、２ａ，２ｂ…固形接着剤、３…凹条、４…透孔、５ａ〜５ｃ…電線、８…分岐部。
【図１】
2018026933.tif 000003
【図２】
2018026933.tif 000004
【図３】
2018026933.tif 000005
【図４】
2018026933.tif 000006
【図５】
2018026933.tif 000007
【図６】
2018026933.tif 000008